(57)【要約】【課題】  オーバーキャップを使用しなくても内容液が漏出してしまう虞のないストッパー付き液体噴出容器を創出することを課題とする。【解決手段】  容器体１の口筒部に装着可能な装着キャップ１１と、装着キャップ１１の上面に立設された基筒部１２と、噴出ノズル１４を備えると共に基筒部１２内に上方付勢状態で押し込み可能に突設された噴出ヘッド１３と、噴出ヘッド１３を上下動させることにより容器体１内の内容液を噴出ヘッド１３内に導いて噴出ノズル１４から噴出させるポンプ１７と、有し、基筒部１２の側面上の対称となる位置に、平面視コの字形状から成る一対の回転ストッパー２０を回動自在に夫々軸着すると共に、互いに離れる水平開き状態と互いに接近する起立閉じ状態とに移行可能に設定し、起立閉じ状態に至ったときに、一対の回転ストッパー２０が噴出ヘッド１３の頭上の位置において互いに係合する構成とする。【選択図】  図２
2016222299.tif 000002
【特許請求の範囲】
【請求項１】
容器体（１）の口筒部に装着可能な装着キャップ（１１）と、該装着キャップ（１１）の上面に立設された基筒部（１２）と、噴出ノズル（１４）を備えると共に前記基筒部（１２）内に上方付勢状態で押し込み可能に突設された噴出ヘッド（１３）と、該噴出ヘッド（１３）を上下動させることにより前記容器体（１）内の内容液を噴出ヘッド（１３）内に導いて前記噴出ノズル（１４）から噴出させるポンプ（１７）と、有する液体噴出容器であって、
前記基筒部（１２）の側面上の対称となる位置に、平面視コの字形状から成る一対の回転ストッパー（２０）を回動自在に夫々軸着すると共に、互いに離れる水平開き状態と互いに接近する起立閉じ状態とに移行可能に設定し、
前記起立閉じ状態に至ったときに、前記一対の回転ストッパー（２０）が前記噴出ヘッド（１３）の頭上の位置において互いに係合するようにしたことを特徴とするストッパー付き液体噴出容器。
【請求項２】
一対の回転ストッパー（２０）に、起立閉じ状態に至ったときに噴出ノズル（１４）を包み込むカバー凹部（２６）を形成した請求項１記載のストッパー付き液体噴出容器。
【請求項３】
噴出ヘッド（１３）の側面に沿って縦方向に延びる凸条（１８）を突設すると共に、基筒部（１２）の上面に前記凸条（１８）と係合する係止凹部（１９）を形成した請求項２記載のストッパー付き液状噴出容器。
【請求項４】
一対の回転ストッパー（２０）の頂辺部（２３）に摘み片（２７，２８）を夫々形成すると共に、各摘み片（２７，２８）に係止片（２７ａ，２８ａ）を形成した請求項１乃至３のいずれか一項に記載のストッパー付き液状噴出容器。
【請求項５】
一対の回転ストッパー（２０）が水平開き状態に至ったときに、前記一対の回転ストッパー（２０）の回転を規制するロック機構を設けた請求項１乃至４のいずれか一項に記載のストッパー付き液状噴出容器。
【請求項６】
ロック機構を、一対の回転ストッパー（２０）の回転部（２４）に形成した切欠部（２９ａ）と、装着キャップ（１１）の側面に形成した縦溝（１１ａ）内を移動可能に設けたスライド部材（３０）とにより形成し、該スライド部材（３０）が前記切欠部（２９ａ）に嵌合する構成とした請求項５記載のストッパー付き液状噴出容器。
【請求項７】
ロック機構を、一対の回転ストッパー（２０）の回転部（２４）と装着キャップ（１１）の上面のいずれか一方に係止突起（２９ｂ）を形成し、他方に係止凹部（１１ｅ）を形成し、一対の回転ストッパー（２０）の回転部（２４）が回転したときに前記係止突起（２９ｂ）と前記係止凹部（１１ｅ）とが係合する構成とした請求項５記載のストッパー付き液状噴出容器。
【請求項８】
一対の回転ストッパー（２０）の回転部（２４）にギヤ（２９ｃ）を夫々設け、一方のギヤ（２９ｃ）と他方のギヤ（２９ｃ）とが噛み合う状態で前記一対の回転ストッパー（２０）が回転する構成とした請求項乃至４のいずれか一項に記載のストッパー付き液状噴出容器。
【発明の詳細な説明】
【技術分野】
【０００１】
本発明はストッパーを有する液体噴出容器に関する。
【背景技術】
【０００２】
ポンプ上端部を被覆するオーバーキャップを着脱自在に装着して誤操作による噴出を防止できる液体噴出容器が提案されている。（特許文献１参照）
【０００３】
この液体噴出容器は、胴部より口頸部を起立させた容器体と、上記口頸部に嵌合させた装着キャップの上面外周縁部より係止筒を立設するとともに、係止筒内より有頂筒状のカバーを有する噴出ヘッドを上方付勢状態で押し込み可能に突出させたポンプとを備え、噴出ヘッドを上下動させることにより容器体内の内容液を噴出ヘッドの噴出口から噴出する如く構成している。また、係止筒外周に周壁下端部を嵌合させて着脱自在にオーバーキャップを装着している。
【先行技術文献】
【特許文献】
【０００４】
【特許文献１】特開２００４−５９０９７
【発明の開示】
【発明が解決しようとする課題】
【０００５】
従来の液体噴出容器では、オーバーキャップと容器体とは分離可能であるため、オーバーキャップを紛失し易いという問題があった。
また液体噴出容器をバックなどに入れて携行していた場合においてはオーバーキャップが脱落することがあり、その場合噴出ヘッドが押されて内容液が漏出してしまう虞があった。
【０００６】
上記した従来技術における問題点を解消すべく、オーバーキャップを使用しなくても内容液が漏出してしまう虞のないストッパー付き液体噴出容器を創出することを課題とする。
【課題を解決するための手段】
【０００７】
上記課題を解決するための手段のうち、本発明の主たる手段は、
容器体の口筒部に装着可能な装着キャップと、装着キャップの上面に立設された基筒部と、噴出ノズルを備えると共に基筒部内に上方付勢状態で押し込み可能に突設された噴出ヘッドと、噴出ヘッドを上下動させることにより容器体内の内容液を噴出ヘッド内に導いて噴出ノズルから噴出させるポンプ１７と、有する液体噴出容器であって、
基筒部の側面上の対称となる位置に、平面視コの字形状から成る一対の回転ストッパーを回動自在に夫々軸着すると共に、互いに離れる水平開き状態と互いに接近する起立閉じ状態とに移行可能に設定し、起立閉じ状態に至ったときに、一対の可動係止部材が噴出ヘッドの頭上の位置において互いに係合することを特徴とする、と云うものである。
【０００８】
本発明の主たる手段では、一対の可動係止部材を噴出ヘッドの頭上の位置において互いに係合する起立閉じ状態にすることにより、噴出ヘッドを押圧され難くすることができ、これにより誤操作を防止することが可能となる。
【０００９】
また本発明の他の手段は、上記主たる手段に、一対の回転ストッパーに、起立閉じ状態に至ったときに噴出ノズルを包み込むカバー凹部を形成した、との構成を加えたものである。
【００１０】
上記手段では、噴出ヘッドの下方向への移動を阻止し、噴出ヘッドの押圧操作を不能とし得る。
【００１１】
また本発明の他の手段は、上記手段に、噴出ヘッドの側面に沿って縦方向に延びる凸条を突設すると共に、基筒部の上面に凸条と係合する係止凹部を形成した、との構成を加えたものである。
【００１２】
上記手段では、噴出ヘッドの周方向への回転を防止し、カバー凹部による噴出ヘッドの包み込みを確実に達成し得る。
【００１３】
また本発明の他の手段は、上記いずれかの手段に、一対の回転ストッパーの頂辺部に摘み片を夫々形成すると共に、各摘み片に係止片を形成した、との構成を加えたものである。
【００１４】
上記手段では、一対の回転ストッパーの係合とその解除を簡単且つ確実に達成し得る。
【００１５】
また本発明の他の手段は、上記いずれかの手段に、一対の回転ストッパーが水平開き状態に至ったときに、一対の回転ストッパーの回転を規制するロック機構を設けた、との構成を加えたものである。
【００１６】
上記手段では、水平開き状態を維持し、起立閉じ状態に戻ることを防止し得る。
【００１７】
また本発明の他の手段は、上記手段のロック機構を、一対の回転ストッパーの回転部に形成した切欠部と、装着キャップの側面に形成した縦溝内を移動可能に設けたスライド部材とにより形成し、スライド部材が切欠部に嵌合する構成とした、との構成を加えたものである。
【００１８】
上記手段では、ロック状態とすることにより、一対の回転ストッパーが略水平に開いた状態の姿勢をそのまま維持することができ、使用中に起立閉じ状態に移行することを防止し得る。
【００１９】
また本発明の他の手段は、上記手段のロック機構を、一対の回転ストッパーの回転部と装着キャップの上面のいずれか一方に係止突起を形成し、他方に係止凹部を形成し、一対の回転ストッパーの回転部が回転したときに係止突起と係止凹部とが係合する構成とした、との構成を加えたものである。
【００２０】
上記手段では、例えば、液体噴出容器を傾けて内容液を吐出させる使用形態等において、水平開き状態にある一対の回転ストッパーが、使用者の意図に反して勝手に回転して起立閉じ状態に戻ろうとする動作を防止し得る。
【００２１】
また本発明の他の手段は、請求項１乃至４のいずれかに記載の手段に、一対の回転ストッパーの回転部にギヤを夫々設け、一方のギヤと他方のギヤとが噛み合う状態で一対の回転ストッパーが回転する構成とした、との構成を加えたものである。
【００２２】
上記手段では、一方の回転ストッパーを操作するだけで、他方の回転ストッパーを一方の回転ストッパーと同様に操作することが可能となり、回転ストッパーの操作性の向上を達成し得る。
【発明の効果】
【００２３】
本発明は、上記した構成となっているので、以下に示す効果を奏する。
本発明の主たる構成においては、オーバーキャップを不要とすることができるため、従来のようにオーバーキャップが紛失するという問題がない。
また噴出ヘッドの移動を阻止し、噴出ヘッドの押圧操作が不能となるため、誤操作による内容液の漏れを確実に防止することができる。さらには噴出ノズルの先端を保護し、粉塵等の付着を防止することができる。
【図面の簡単な説明】
【００２４】
【図１】本発明の実施例を示すストッパー付き液体噴出容器の側面図である。
【図２】起立閉じ状態を示す液体噴出容器の斜視図である。
【図３】水平開き状態を示す液体噴出容器の斜視図である。
【図４】回転ストッパーの回転を規制するロック機構の第１実施例を示す液体噴出容器の正面図であり、Ａは非ロック状態を示し、Ｂはロック状態を示している。
【図５】第１実施例のロック機構の縦断面図であり、Ａは非ロック状態、Ｂはロック状態を示している。
【図６】液体噴出容器の使用例を示す斜視図である。
【図７】ロック機構の第２実施例を示す斜視図である。
【図８】ストッパー付き液体噴出容器の他の実施例を示す斜視図である。
【発明を実施するための形態】
【００２５】
以下、本発明の実施の形態について図面を参照しつつ説明する。
本発明のストッパー付き液体噴出容器は、例えば化粧水や虫よけ液などの内容液を噴出するための容器であり、図１乃至図３に示すように、容器体１と、ディスペンサー１０と、回転ストッパー２０とを備えて形成されている。
容器体１は、筒状の胴部２の上に口筒部（図示せず）を起立して成る有底筒状の容器であり、合成樹脂等により形成されている。
【００２６】
ディスペンサー１０は、容器体１の口筒部に着脱可能に装着される装着キャップ１１と、この装着キャップ１１の上面に一体に立設された基筒部１２とを有し、基筒部１２には上方付勢状態で押し込み可能に突設された噴出ヘッド１３が設けられている。また装着キャップ１１の下端にはシリンダ１５が垂下設され、シリンダ１５の下端には吸引用のチューブ１６が取り付けられている。なお、ディスペンサーは噴出ヘッドを押圧すると内容液が吐出されるものであればどのようなディスペンサーでもよく、例えば噴出ヘッドを押すと容器内の中皿が上昇することで内容液をと吐出するＨＶＤ（High Viscosity Dispenser）を使用することもできるし、あるいはエアゾールを使用することもできる。
【００２７】
また噴出ヘッド１３の側面には噴出ノズル１４が設けられ、噴出ヘッド１３を上下動させることにより、装着キャップ１１内に設けられた公知のポンプ１７の作用により、チューブ１６を介して容器体１内の内容液を吸い上げ、噴出ノズル１４から噴出できるようになっている。
【００２８】
基筒部１２の側面には、噴出ヘッド１３が下方に移動することを規制する一対の回転ストッパー２０が設けられている。回転ストッパー２０は、互いに平行に配置された第１辺部２１及び第２辺部２２と、これら第１辺部２１と第２辺部２２の一端同士を連結する頂辺部２３とを有して平面視略コの字状に形成された部材である。図１に示すように、第１辺部２１及び第２辺部２２の他端には回転部２４，２５が設けられており、この回転部２４，２５の内面には軸部２４ａ，２５ａが夫々突設されている。
【００２９】
基筒部１２の一方の側面には２つの軸受１２ａが並設されており、この軸受１２ａと対称を成す基筒部１２の他方の側面にも同様の構成からなる２つの軸受１２ｂが並設されている。そして、一対の回転ストッパー２０は、各々の第１辺部２１の軸部２４ａと第２辺部２２の軸部２５ａを、基筒部１２の側面上の互いに対称となる位置に設けられた軸受１２ａ，１２ｂに夫々軸着することにより、基筒部１２に対して夫々回動可能に支持されている。
【００３０】
また一対の回転ストッパー２０の頂辺部２３には、略半円弧形状からなる摘み片２７，２８が夫々形成されている。摘み片２７，２８は各回転ストッパー２０の内面側に突出形成されると共に、一方の回転ストッパー２０に形成された摘み片２７と他方の回転ストッパー２０に形成された摘み片２８とは互いに対称形状を成している。また摘み片２７と摘み片２８とが対向する部分には、係脱自在に係合する係止片２７ａ，２８ａが形成されている。
【００３１】
次に、液体噴出容器の動作について説明する。
一対の回転ストッパー２０は両側の回転部２４，２５を回転軸とし、互いに閉じる方向及び開く方向に夫々回動する。図２に示すように互いに閉じる方向に回動させることにより、一対の回転ストッパー２０が共に起立姿勢となる状態（以下、起立閉じ状態という）に設定することができる。また図３に示すように互いに開く方向に回動させることにより、一対の回転ストッパー２０が共に略水平姿勢となる状態（以下、水平開き状態という）に設定することが可能である。そして、一対の回転ストッパー２０はこのような２つの状態の間を必要に応じて遷移することが可能となっている。
【００３２】
図２に示すように、一対の回転ストッパー２０を起立閉じ状態に設定すると、一対の回転ストッパー２０に設けられた係止片２７ａ，２８ａ同士が係合し、起立閉じ状態を維持することが可能となる。また図３に示すように、係止片２７ａ，２８ａによる係合を解除すると、一対の回転ストッパー２０を水平開き状態に移行させることが可能となる。
なお、係止片２７ａ，２８ａの解除は、例えば摘み片２７を親指に腹で押さえ、摘み片２８を人指し指の腹で押さえた状態から互いの指を逆方向にずらすように操作することにより容易に解除することが可能である。
【００３３】
図２に示す起立閉じ状態では、一対の回転ストッパー２０の各頂辺部２３が噴出ヘッド１３の頭上に配置される。このため、噴出ヘッド１３を押圧され難くすることができる。そして、一対の回転ストッパー２０を、図３に示す水平開き状態に設定することにより、噴出ヘッド１３を押圧して内容液を噴出させることが可能となる。
【００３４】
ここで、図１乃至図３に示すように、一対の回転ストッパー２０の第１辺部２１に、外辺側を閉塞し且つ内辺側を開口状に形成したカバー凹部２６を夫々有するようにした構成が好ましい。この構成では、一対の回転ストッパー２０を起立閉じ状態としたときに、噴出ノズル１４を両カバー凹部２６で両側から包み込むことができる。これにより、噴出ノズル１４が両カバー凹部２６で保持され、噴出ヘッド１３の下方向への移動を阻止することが可能となり、これにより噴出ヘッド１３の押圧操作が不能となる、よって、液体噴出容器をバックなどに入れて携行した場合であっても、内容液の漏れを確実に防止することができる。さらには噴出ノズル１４の先端を保護し、粉塵等の付着を防止することも可能となる。
【００３５】
またこの場合においては、噴出ヘッド１３の側面に縦方向（高さ方向）に延びる凸条１８を突設し、基筒部１２の上面に係止凹部１９を形成し、凸条１８と係止凹部１９とが係合する構成とすることが好ましい。この構成では、装着キャップ１１の周方向の回転を防止し、噴出ノズル１４を常に一定の方向を向くように位置決めすることができる。このため、一対の回転ストッパー２０を起立閉じ状態としたときに、両カバー凹部２６が噴出ノズル１４を確実に覆うことができるようになる。
【００３６】
さらに、噴出ヘッド１３の頭上の頂辺部２３の下辺に、Ｕ字状の切欠きから成る係止凹部を形成することも可能である。このように構成した場合には、例えば化粧水等を収容した液体噴出容器を販売する際などに、壁掛けフック等で係止凹部を係止することにより、液体噴出容器を吊るした状態で展示することが可能となり便利である。
【００３７】
次に、回転ストッパーの回転を規制するロック機構について説明する。
図４は回転ストッパーの回転を規制するロック機構の第１実施例を示す液体噴出容器の正面図であり、Ａは非ロック状態、Ｂはロック状態を示す。図５は第１実施例のロック機構の縦断面図であり、Ａは非ロック状態、Ｂはロック状態を示している。
第１実施例として示すロック機構は、一対の回転ストッパー２０側の各々の第１辺部２１の回転部２４の側面に夫々形成した略Ｖ字形状からなる切欠部２９ａと、装着キャップ１１の側面の上端部で、且つ並設された回転部２４の中間位置に形成した縦溝１１ａ及びこの縦溝１１ａ内を縦方向に移動可能に設けたスライド部材３０とにより構成される。
【００３８】
図５Ａ，Ｂに示すように、縦溝１１ａの両側面には縦方向に延びる案内溝１１ｂが夫々形成されており、スライド部材３０の両側面にはこの案内溝１１ｂに遊挿される凸条３２が夫々形成されている。また縦溝１１ａの表面には高さ方向に所定の間隔を有して水平に形成された上部係止溝１１ｃ及び下部係止溝１１ｄが形成されており、スライド部材３０の背面にはこれら上部係止溝１１ｃ及び下部係止溝１１ｄと係合可能な係止凸部３３が突設されている。またスライド部材３０の表面には滑り止めとして機能する突起３１が形成されている。
【００３９】
図４Ａ及び図５Ａに示すように、スライド部材３０を縦溝１１ａ内の下部位置に移動させた状態が非ロック状態である。非ロック状態では、一対の回転ストッパー２０を起立閉じ状態及び水平開き状態に自由に設定することが可能である。また非ロック状態では、スライド部材３０側の係止凸部３３と縦溝１１ａ側の下部係止溝１１ｄとが係合し、スライド部材３０を縦溝１１ａ内の下部位置に保持することが可能となっている。
【００４０】
図４Ｂ及び図５Ｂに示すように、一対の回転ストッパー２０を水平開き状態とした後に、指で突起３１を押してスライド部材３０を上方に移動させ、スライド部材３０の上端を装着キャップ１１の上面よりも上方に突出させて一対の回転ストッパー２０の両切欠部２９ａに嵌合させた状態がロック状態である。
このロック状態では、スライド部材３０側の係止凸部３３が縦溝１１ａ側の上部係止溝１１ｃに係合することにより、縦溝１１ａ内の上部位置にスライド部材３０の上端が突出する状態で保持することが可能であり、使用中にスライド部材３０が勝手に下部位置に移動することを防止することができる。よって、ロック状態では、一対の回転ストッパー２０が略水平に開いた状態の姿勢をそのまま維持することができ、使用中に起立閉じ状態に移行することを防止することが可能である。
このため、例えば図６に示すように、ロック状態且つ水平開き状態とした一対の回転ストッパー２０の一方を人指し指により、他方を中指により夫々支持し、親指で噴出ヘッド１３を押し下げることにより、内容液を噴出させるというような使用形態を実現することが可能となる。
【００４１】
図７はロック機構の第２実施例を示す斜視図である。
図７示す第２実施例は、一対の回転ストッパー２０側の第１辺部２１の回転部２４の側面に係止突起２９ｂを夫々形成し、装着キャップ１１側の上面に両係止突起２９ｂと係合する一対の係止凹部１１ｅを形成した構成である。第２実施例では、一対の回転ストッパー２０が水平開き状態に至ったときに係止突起２９ｂと係止凹部１１ｅとが夫々係合することにより、水平開き状態に至った姿勢を維持できるようになっている。
このロック機構では、例えば、液体噴出容器を傾けて内容液を吐出させる使用形態等において、水平開き状態にある一対の回転ストッパー２０が、使用者の意図に反して勝手に回転して起立閉じ状態に戻ろうとする動作を防止することができる。
【００４２】
図８はストッパー付き液体噴出容器の他の実施例を示す斜視図である。
図８では、一対の回転ストッパー２０側の第１辺部２１の回転部２４の側面に、ギヤ２９ｃを夫々形成したものである。この構成では、一方のギヤ２９ｃと他方のギヤ２９ｃとが互いに噛み合いながら両回転部２４が回転するので、一方の回転ストッパー２０と他方の回転ストッパー２０との回転動作を同期させることができる。このため、一方の回転ストッパー２０を操作するだけで、他方の回転ストッパー２０を一方の回転ストッパー２０と同様に操作することが可能となり、回転ストッパー２０の操作性を向上させることができる。
【００４３】
以上、実施例に沿って本発明の構成とその作用効果について説明したが、本発明の実施の形態は上記実施例に限定されるものではない。
【００４４】
例えば、第１及び第２実施例ではロック機構を、一対の回転ストッパー２０側の第１辺部２１側の回転部２４のみに設けた構成を示して説明したが、本発明の実施の形態は上記実施例に限定されるものではなく、ロック機構を、第２辺部２２側の回転部２５に設ける構成であってもよいし、第１辺部２１の回転部２４と第２辺部２２の回転部２５の双方に設ける構成であってもよい。
【００４５】
また図７に示す第２実施例では、係止突起２９ｂを回転部２４の側面に設け、一対の係止凹部１１ｅを装着キャップ１１の上面に設けた構成を示して説明したが、本発明の実施の形態は上記実施例に限定されるものではなく、回転部２４の側面係止凹部を設け、装着キャップ１１の上面に一対の係止突起を設ける構成とすることもできる。
【００４６】
さらに図８の他の実施例では、ギヤ２９ｃを第１辺部２１側の回転部２４のみに設けた構成を示して説明したが、本発明の実施の形態は上記実施例に限定されるものではなく、ギヤ２９ｃを、第２辺部２２側の回転部２５に設ける構成であってもよいし、第１辺部２１の回転部２４と第２辺部２２の回転部２５の双方に設ける構成であってもよい。
【産業上の利用可能性】
【００４７】
本発明の液体噴出容器は、ディスペンサーを搭載する容器の分野における用途展開をさらに広い領域で図ることができる。
【符号の説明】
【００４８】
１    ：  容器体
１０  ：  ディスペンサー
１１  ：  装着キャップ
１１ａ：  縦溝
１１ｂ：案内溝
１１ｃ：上部係止溝
１１ｄ：下部係止溝
１１ｅ：  係止凹部
１２  ：  基筒部
１２ａ，１２ｂ：  軸受
１３  ：  噴出ヘッド
１４  ：  噴出ノズル
１５  ：  シリンダ
１６  ：  チューブ
１７  ：  ポンプ
１８  ：  凸条
１９  ：  係止凹部
２０  ：  回転ストッパー
２１  ：  第１辺部
２２  ：  第２辺部
２３  ：  頂辺部
２４，２５：  回転部
２４ａ，２５ａ：  軸部
２６  ：  カバー凹部
２７，２８：  摘み片
２７ａ，２８ａ：  係止片
２９ａ：  切欠部
２９ｂ：  係止突起
２９ｃ：  ギヤ
３０  ：  スライド部材
３１  ：  突起
３２  ：  凸条
３３  ：係止凸部
【図１】
2016222299.tif 000003
【図２】
2016222299.tif 000004
【図３】
2016222299.tif 000005
【図４】
2016222299.tif 000006
【図５】
2016222299.tif 000007
【図６】
2016222299.tif 000008
【図７】
2016222299.tif 000009
【図８】
2016222299.tif 000010